(57)【要約】【課題】本発明は、アシスタントコンピュータを使用しなくても画像データの送信を実現することができる走査装置及び走査方法を提供する。【解決手段】本発明に係る走査装置は、ローカルエリアネットワーク内でローカルエリアネットワーク用ファイル伝送ソフトウェアによって走査した画像データを伝送し、ドキュメントを走査し、画像データを形成する走査モジュールと、前記画像データを格納する記憶モジュールと、ローカルエリアネットワーク内で前記ローカルエリアネットワーク用ファイル伝送ソフトウェアを配置する所定のコンピュータのＩＰアドレスを設定する設定モジュールと、所定のコンピュータのＩＰアドレスに基づいて前記ローカルエリアネットワーク用ファイル伝送ソフトウェアによって前記記憶モジュールに格納された画像データを該所定のコンピュータに送信する制御モジュールと、を備える。本発明は、さらに走査方法を提供する。【選択図】図１
2013013088.tif 000002
【特許請求の範囲】
【請求項１】
ローカルエリアネットワーク内でローカルエリアネットワーク用ファイル伝送ソフトウェアによって走査した画像データを伝送するための走査装置において、
ドキュメントを走査し、画像データを形成する走査モジュールと、
前記画像データを格納する記憶モジュールと、
ローカルエリアネットワーク内で前記ローカルエリアネットワーク用ファイル伝送ソフトウェアを配置する所定のコンピュータのＩＰアドレスを設定する設定モジュールと、
所定のコンピュータのＩＰアドレスに基づいて前記ローカルエリアネットワーク用ファイル伝送ソフトウェアによって前記記憶モジュールに格納された画像データを該所定のコンピュータに送信する制御モジュールと、
を備えることを特徴とする走査装置。
【請求項２】
前記設定モジュールは、所定のコンピュータのＩＰアドレスを入力または選択するためのタッチユニットを備えることを特徴とする請求項１に記載の走査装置。
【請求項３】
ローカルエリアネットワーク内でローカルエリアネットワーク用ファイル伝送ソフトウェアによって走査した画像データを伝送するための走査方法であって、
ドキュメントを走査し、画像データを形成するステップと、
前記画像データを格納するステップと、
前記ローカルエリアネットワーク内で前記ローカルエリアネットワーク用ファイル伝送ソフトウェアを配置する所定のコンピュータのＩＰアドレスを設定するステップと、
所定のコンピュータのＩＰアドレスに基づいて前記ローカルエリアネットワーク用ファイル伝送ソフトウェアによって前記画像データを該所定のコンピュータに送信するステップと、
を備えることを特徴とする走査方法。
【発明の詳細な説明】
【技術分野】
【０００１】
本発明は、走査装置及び走査方法に関するものである。
【背景技術】
【０００２】
科学技術の発展に伴って、スキャナーは、仕事や生活になくてはならないオフィス設備になっている。従来のスキャナーは、一般的に、アシスタントコンピュータによって走査した画像データを他のコンピュータに送信する必要がある。しかし、前記アシスタントコンピュータは、画像データのみを送信し、他の機能が使用されない。従って、コストの浪費を招く。
【発明の概要】
【発明が解決しようとする課題】
【０００３】
前記課題を解決するために、本発明は、アシスタントコンピュータを使用しなくても画像データの送信を実現することができる走査装置及び走査方法を提供することを目的とする。
【課題を解決するための手段】
【０００４】
本発明に係る走査装置は、ローカルエリアネットワーク内でローカルエリアネットワーク用ファイル伝送ソフトウェアによって走査した画像データを伝送し、ドキュメントを走査し、画像データを形成する走査モジュールと、前記画像データを格納する記憶モジュールと、ローカルエリアネットワーク内で前記ローカルエリアネットワーク用ファイル伝送ソフトウェアを配置する所定のコンピュータのＩＰアドレスを設定する設定モジュールと、所定のコンピュータのＩＰアドレスに基づいて前記ローカルエリアネットワーク用ファイル伝送ソフトウェアによって前記記憶モジュールに格納された画像データを該所定のコンピュータに送信する制御モジュールと、を備える。
【０００５】
また、本発明に係る走査方法は、ローカルエリアネットワーク内でローカルエリアネットワーク用ファイル伝送ソフトウェアによって走査した画像データを伝送し、ドキュメントを走査し、画像データを形成するステップと、前記画像データを格納するステップと、前記ローカルエリアネットワーク内で前記ローカルエリアネットワーク用ファイル伝送ソフトウェアを配置する所定のコンピュータのＩＰアドレスを設定するステップと、所定のコンピュータのＩＰアドレスに基づいて前記ローカルエリアネットワーク用ファイル伝送ソフトウェアによって前記画像データを該所定のコンピュータに送信するステップと、を備える。
【発明の効果】
【０００６】
従来の技術と比べて、本発明に係る本発明に係る走査装置は、所定のコンピュータに画像データを送信するためのアシスタントコンピュータを使用する必要がなく、設定モジュール及び制御モジュールを介して画像データを所定のコンピュータに直接的に送信することができる。従って、作業効率を向上し、コストを節約することができる。
【図面の簡単な説明】
【０００７】
【図１】本発明の実施形態に係る走査装置のブロック図である。
【図２】図１に示す走査装置の設定モジュールのタッチユニットのブロック図である。
【図３】本発明の実施形態に係る走査方法のフローチャートである。
【発明を実施するための形態】
【０００８】
以下、図面を参照して、本発明の実施形態について説明する。
【０００９】
図１及び図２を参照すると、本発明の実施形態に係る走査装置１００は、ローカルエリアネットワーク内でローカルエリアネットワーク用ファイル伝送ソフトウェアによって走査した画像データを送信するために用いられる。
【００１０】
前記走査装置１００は、ローカルエリアネットワークを介して前記ローカルエリアネットワーク用ファイル伝送ソフトウェアを配置する複数のコンピュータ（例えば、コンピュータ２１、コンピュータ２２…コンピュータ２３）と接続し、前記複数のコンピュータと前記走査装置１００は、同じローカルエリアネットワーク内にある。本実施形態において、前記走査装置１００のＩＰアドレスは、１９２．１６８．１．１００であり、前記コンピュータ２１のＩＰアドレスは、１９２．１６８．１．１５０であり、前記コンピュータ２２のＩＰアドレスは、１９２．１６８．１．２００であり、前記コンピュータ２３のＩＰアドレスは、１９２．１６８．１．２５０である。他の実施形態において、前記走査装置１００、前記コンピュータ２１、前記コンピュータ２２…前記コンピュータ２３のＩＰアドレスは、需要に基づいて設定することもできる。
【００１１】
前記走査装置１００は、ドキュメント供給モジュール１０と、走査モジュール３０と、記憶モジュール５０と、設定モジュール７０と、制御モジュール９０と、を備える。
【００１２】
前記ドキュメント供給モジュール１０は、未走査のドキュメント（図示せず）を設置するために用いられる。
【００１３】
前記走査モジュール３０は、前記制御モジュール９０の制御によって前記未走査のドキュメントを走査し、且つ、走査したドキュメントに基づいて画像データを形成する。
【００１４】
前記記憶モジュール５０は、前記制御モジュール９０と電気的に接続し、データ記憶モジュール５０１及びソフトウェア記憶モジュール５０３を備える。前記データ記憶モジュール５０１は、前記画像データを格納し、前記ソフトウェア記憶モジュール５０３は、前記ローカルエリアネットワーク用ファイル伝送ソフトウェアを格納する。本実施形態において、前記ローカルエリアネットワーク用ファイル伝送ソフトウェアは、ＥａｓｙＬａｎである。
【００１５】
前記設定モジュール７０は、前記制御モジュール９０と電気的に接続し、前記ローカルエリアネットワーク内の所定のコンピュータのＩＰアドレスを設定するために用いられる。前記設定モジュール７０は、前記制御モジュール９０に電気的に接続されるタッチユニット７０１を備える。前記タッチユニット７０１は、前記制御モジュール９０に電気的に接続されるタッチパネル７０３を備える。本実施形態において、前記タッチパネル７０３には、前記ローカルエリアネットワーク用ファイル伝送ソフトウェアの作業インタフェース７０４を備え、該作業インタフェース７０４は、ＩＰアドレス入力フレーム７０５及び決定ボタン７０７を備える。
【００１６】
前記制御モジュール９０は、所定のコンピュータのＩＰアドレスに基づいて前記ローカルエリアネットワーク用ファイル伝送ソフトウェアによって前記記憶モジュール５０に格納された画像データを所定のコンピュータに送信するために用いられる。
【００１７】
以下、画像データをコンピュータ２２に送信することを例をとして、前記走査装置１００の動作過程を詳細に説明する。
【００１８】
まず、ユーザは、前記ＩＰアドレス入力フレーム７０５に「１９２．１６８．１．２００」を入力し、次に、前記決定ボタン７０７をクリックし、前記ＩＰアドレス「１９２．１６８．１．２００」を前記制御モジュール９０に送信し（即ち、前記ローカルエリアネットワーク用ファイル伝送ソフトウェアをスターティングする）、前記制御モジュール９０は、前記ＩＰアドレス「１９２．１６８．１．２００」を受信した後、前記タッチパネル７０３に「ファイルを開く」ダイアログボックス（図示せず）をポップアップし、最後、ユーザは、前記記憶モジュール５０から該画像データを選択し、且つ、前記「ファイルを開く」ダイアログボックスのオープンボタンをクリックし、従って、前記ローカルエリアネットワーク用ファイル伝送ソフトウェアは、前記制御モジュール９０の制御によって該画像データを前記コンピュータ２２に送信することができる。
【００１９】
他の実施形態において、前記タッチパネル７０３にＩＰアドレスのリストを表示することもできる。前記ＩＰアドレスのリストは、複数のＩＰアドレスを備え、所定のコンピュータのＩＰアドレスは、前記ＩＰアドレスのリストから選択することができる。
【００２０】
他の実施形態において、前記制御モジュール９０は、ＩＰメッセンジャー、ＦｅｉｇｅまたはＦｅｉＱなどの他のローカルエリアネットワーク用ファイル伝送ソフトウェアによって前記記憶モジュール５０に格納された画像データを所定のコンピュータに送信することもできる。
【００２１】
本発明に係る走査装置１００は、所定のコンピュータに画像データを送信するためのアシスタントコンピュータを使用する必要がなく、設定モジュール７０及び制御モジュール９０を介して画像データを所定のコンピュータに直接的に送信することができる。従って、作業効率を向上し、コストを節約することができる。
【００２２】
図３を参照すると、本発明の実施形態に係る走査装置１００の走査方法は、以下のステップＳ１１０〜ステップＳ１２５を備える。
【００２３】
ステップＳ１１０において、ドキュメントを走査し、画像データを形成する。本実施形態において、前記走査モジュール３０は、前記制御モジュール９０の制御によって未走査のドキュメントを走査し、且つ、画像データを形成する。
【００２４】
ステップＳ１１５において、前記画像データを格納する。本実施形態において、前記記憶モジュール５０は、前記画像データを格納する。
【００２５】
ステップＳ１２０において、前記ローカルエリアネットワーク内で前記ローカルエリアネットワーク用ファイル伝送ソフトウェアを配置する所定のコンピュータのＩＰアドレスを設定する。本実施形態において、ユーザは、設定モジュール７０のＩＰアドレス入力フレーム７０５に所定のコンピュータのＩＰアドレスを入力することによって所定のコンピュータのＩＰアドレスを設定する。
【００２６】
ステップＳ１２５において、所定のコンピュータのＩＰアドレスに基づいて前記ローカルエリアネットワーク用ファイル伝送ソフトウェアによって前記画像データを該所定のコンピュータに送信する。本実施形態において、前記制御モジュール９０は、所定のコンピュータのＩＰアドレスに基づいて前記ローカルエリアネットワーク用ファイル伝送ソフトウェアによって前記画像データを所定のコンピュータに送信する。
【符号の説明】
【００２７】
１００  走査装置
１０  ドキュメント供給モジュール
３０  走査モジュール
５０  記憶モジュール
７０  設定モジュール
９０  制御モジュール
５０１  データ記憶モジュール
５０３  ソフトウェア記憶モジュール
７０１  タッチユニット
７０３  タッチパネル
７０４  作業インタフェース
７０５  ＩＰアドレス入力フレーム
７０７  決定ボタン
２１、２２、２３  コンピュータ
【図１】
2013013088.tif 000003
【図２】
2013013088.tif 000004
【図３】
2013013088.tif 000005